【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
アンテナを介して受信された電波の受信強度を順次計測する第１放送受信部と、
アンテナを介して受信された電波からデジタル信号を生成し、当該デジタル信号から、番組を選択するために必要な情報を含む番組情報を分離する第２放送受信部と、
物理チャンネル毎に、前記第２放送受信部で分離された番組情報から抽出された放送信号情報又は放送波が含まれていないことを示す情報を含むスキャン情報、及び、物理チャンネル毎に、前記スキャン情報から取得された、前記放送信号情報又は前記放送波が含まれていないことを示す情報を含むチャンネル情報、を記憶する記憶部と、
視聴する番組が選択された際に、前記第１放送受信部に、前記チャンネル情報に基づいて当該選択された番組に対応する物理チャンネルの電波を受信させ、当該電波からデジタル信号を生成させ、当該デジタル信号から映像デジタル信号及び音声デジタル信号の少なくとも何れか一方を分離させる制御部と、を備え、
前記制御部は、
前記第１放送受信部により計測された受信強度を取得して、受信状態が受信可能状態である場合において、前回取得された受信強度から今回取得された受信強度の低下分が、予め定められた第１閾値よりも大きいときには、受信状態が受信不可状態に遷移したと判断し、受信状態が受信不可状態である場合において、今回取得された受信強度が予め定められた第２閾値以上であるときには、受信状態が受信可能状態に遷移したと判断する受信状態監視部と、
予め定められた順番に従って物理チャンネルを特定し、前記第２放送受信部に、当該特定された物理チャンネルの電波を受信させて、番組情報を分離できるときには、番組情報を分離させる個別スキャン処理を順次実行させるスキャン処理を制御するスキャン制御部と、
前記個別スキャン処理が実行された際に、前記第２放送受信部で番組情報を分離することができた場合には、前記特定された物理チャンネルに対応付けられている情報が、前記第２放送受信部で分離された番組情報から抽出された放送信号情報を示すように、また、前記第２放送受信部で番組情報を分離することができない場合には、前記特定された物理チャンネルに対応付けられている情報が、前記特定された物理チャンネルに放送波が含まれていないことを示す情報を示すように、前記スキャン情報を更新するスキャン情報更新部と、
前記受信状態監視部で判断された最新の受信状態が受信可能状態である場合には、前記スキャン情報において更新された内容が前記チャンネル情報に反映されるように、前記チャンネル情報を更新し、
前記受信状態監視部で判断された最新の受信状態が受信不可状態であり、かつ、前記スキャン情報更新部が、前記放送信号情報を示すように前記スキャン情報を更新した場合には、前記スキャン情報において更新された内容が前記チャンネル情報に反映されるように、前記チャンネル情報を更新し、
前記受信状態監視部で判断された最新の受信状態が受信不可状態であり、かつ、前記スキャン情報更新部が、前記特定された物理チャンネルに放送波が含まれていないことを示す情報を示すように前記スキャン情報を更新した場合には、前記スキャン情報において更新された内容が前記チャンネル情報に反映されないように、前記チャンネル情報を更新しないチャンネル情報更新部と、を備えること
を特徴とするデジタル放送受信装置。
【請求項２】
前記スキャン制御部は、受信状態が受信不可状態であると前記受信状態監視部が判断した場合には、前記スキャン処理を停止すること
を特徴とする請求項１に記載のデジタル放送受信装置。
【請求項３】
前記スキャン制御部は、受信不可状態から受信可能状態に前記受信状態監視部の判断が変わった場合に、前記スキャン処理を停止した時に特定されていた物理チャンネルから、前記スキャン処理を再開すること
を特徴とする請求項２に記載のデジタル放送受信装置。
【請求項４】
前記受信状態監視部は、
受信状態が受信不可状態に遷移してから、前記第１放送受信部から取得される受信強度が継続して前記第２閾値よりも低くなっている場合には、受信状態が受信不可状態であると判断するとともに、受信状態が受信不可状態になってからの期間が、予め定められた第３閾値で示される期間よりも長くなった場合、又は、受信状態が受信可能状態である場合において、前記第１放送受信部から取得される受信強度が前記第２閾値よりも低いときには、受信状態が受信監視不可状態に遷移したと判断し、
受信状態が受信監視不可状態である場合において、今回取得された受信強度が予め定められた第２閾値以上であるときには、受信状態が受信可能状態に遷移したと判断すること
を特徴とする請求項１から３の何れか一項に記載のデジタル放送受信装置。
【請求項５】
前記受信状態監視部は、視聴する番組が選択された後に、前記第１放送受信部から受信強度を取得すること
を特徴とする請求項１から４の何れか一項に記載のデジタル放送受信装置。
【請求項６】
前記スキャン制御部は、前記スキャン処理中に、受信状態が受信監視不可状態であると前記受信状態監視部が判断した場合には、前記スキャン処理を中止して、前記選択された番組を放送している中継局又は系列局の物理チャンネルだけを、予め定められた順番に従って順次特定し、前記第２放送受信部に、当該特定された物理チャンネルの電波を受信させて、前記番組情報を分離できるときには、前記番組情報を分離させる個別スキャン処理を順次実行させるハンドオーバ処理を制御すること
を特徴とする請求項５に記載のデジタル放送受信装置。
【請求項７】
前記スキャン制御部は、受信状態が受信監視不可状態であると前記受信状態監視部が判断した場合には、前記スキャン処理を中止すること
を特徴とする請求項４に記載のデジタル放送受信装置。
【請求項８】
前記スキャン制御部は、全ての物理チャンネルについて個別スキャン処理を行った後に、個別スキャン処理の前後の少なくとも何れか一方の受信状態が受信可能状態ではなく、かつ、前記第２放送受信部で番組情報を分離することができなかった物理チャンネルについて、再度個別スキャン処理を行うこと
を特徴とする請求項１から７の何れか一項に記載のデジタル放送受信装置。
【請求項９】
前記スキャン制御部は、物理チャンネルの内最も受信強度の高い物理チャンネルの電波を前記第１放送受信部に受信させること
を特徴とする請求項１から４の何れか一項に記載のデジタル放送受信装置。
【請求項１０】
前記第２放送受信部は、前記電波の受信強度を順次計測し、
前記スキャン情報は、受信強度をさらに含み
前記スキャン情報更新部は、前記個別スキャン処理が実行された際に、前記特定された物理チャンネルに対応付けられている受信強度が前記第２放送受信部で計測された最新の受信強度を示すように、前記スキャン情報を更新し、
前記スキャン制御部は、前記スキャン処理中に、受信状態が受信監視不可状態であると前記受信状態監視部が判断した場合には、前記スキャン情報に含まれている受信強度が最も高い物理チャンネルの電波を、前記第１放送受信部に受信させること
を特徴とする請求項９に記載のデジタル放送受信装置。
【請求項１１】
アンテナを介して受信された電波の受信強度を順次計測する第１放送受信過程と、
アンテナを介して受信された電波からデジタル信号を生成し、当該デジタル信号から、番組を選択するために必要な情報を含む番組情報を分離する第２放送受信過程と、
視聴する番組が選択された際に、前記第１放送受信過程に、物理チャンネル毎に、前記第２放送受信過程で分離された番組情報から抽出された放送信号情報又は放送波が含まれていないことを示す情報を含むチャンネル情報に基づいて、当該選択された番組に対応する物理チャンネルの電波を受信させ、当該電波からデジタル信号を生成させ、当該デジタル信号から映像デジタル信号及び音声デジタル信号の少なくとも何れか一方を分離させる制御過程と、
前記第１放送受信過程により計測された受信強度を取得して、受信状態が受信可能状態である場合において、前回取得された受信強度から今回取得された受信強度の低下分が、予め定められた第１閾値よりも大きいときには、受信状態が受信不可状態に遷移した判断し、受信状態が受信不可状態である場合において、今回取得された受信強度が予め定められた第２閾値以上であるときには、受信状態が受信可能状態に遷移したと判断する受信状態監視過程と、
予め定められた順番に従って物理チャンネルを特定し、前記第２放送受信過程に、当該特定された物理チャンネルの電波を受信させて、番組情報を分離できるときには、番組情報を分離させる個別スキャン処理を順次実行させるスキャン処理を制御するスキャン制御過程と、
前記個別スキャン処理が実行された際に、前記第２放送受信過程で番組情報を分離することができた場合には、前記特定された物理チャンネルに対応付けられている情報が、前記第２放送受信過程で分離された番組情報から抽出された放送信号情報を示すように、また、前記第２放送受信過程で番組情報を分離することができない場合には、前記特定された物理チャンネルに対応付けられている情報が、前記特定された物理チャンネルに放送波が含まれていないことを示す情報を示すように、物理チャンネル毎に、前記第２放送受信過程で分離された番組情報から抽出された放送信号情報又は放送波が含まれていないことを示す情報を含むスキャン情報を更新するスキャン情報更新過程と、
前記受信状態監視過程で判断された最新の受信状態が受信可能状態である場合には、前記スキャン情報において更新された内容が前記チャンネル情報に反映されるように、前記チャンネル情報を更新し、
前記受信状態監視過程で判断された最新の受信状態が受信不可状態であり、かつ、前記スキャン情報更新過程が、前記放送信号情報を示すように前記スキャン情報を更新した場合には、前記スキャン情報において更新された内容が前記チャンネル情報に反映されるように、前記チャンネル情報を更新し、
前記受信状態監視過程で判断された最新の受信状態が受信不可状態であり、かつ、前記スキャン情報更新過程が、前記特定された物理チャンネルに放送波が含まれていないことを示す情報を示すように前記スキャン情報を更新した場合には、前記スキャン情報において更新された内容が前記チャンネル情報に反映されないように、前記チャンネル情報を更新しないチャンネル情報更新過程と、を備えること
を特徴とするデジタル放送受信方法。
【請求項１２】
前記スキャン制御過程は、受信状態が受信不可状態であると前記受信状態監視過程が判断した場合には、前記スキャン処理を停止すること
を特徴とする請求項１１に記載のデジタル放送受信方法。
【請求項１３】
前記スキャン制御過程は、受信不可状態から受信可能状態に前記受信状態監視過程の判断が変わった場合に、前記スキャン処理を停止した時に特定されていた物理チャンネルから、前記スキャン処理を再開すること
を特徴とする請求項１２に記載のデジタル放送受信方法。
【請求項１４】
前記受信状態監視過程は、
受信状態が受信不可状態に遷移してから、前記第１放送受信過程から取得される受信強度が継続して前記第２閾値よりも低くなっている場合には、受信状態が受信不可状態であると判断するとともに、受信状態が受信不可状態になってからの期間が、予め定められた第３閾値で示される期間よりも長くなった場合、又は、受信状態が受信可能状態である場合において、前記第１放送受信過程から取得される受信強度が前記第２閾値よりも低いときには、受信状態が受信監視不可状態に遷移したと判断し、
受信状態が受信監視不可状態である場合において、今回取得された受信強度が予め定められた第２閾値以上であるときには、受信状態が受信可能状態に遷移したと判断すること
を特徴とする請求項１１から１３の何れか一項に記載のデジタル放送受信方法。
【請求項１５】
前記受信状態監視過程は、視聴する番組が選択された後に、前記第１放送受信過程から受信強度を取得すること
を特徴とする請求項１１から１４の何れか一項に記載のデジタル放送受信方法。
【請求項１６】
前記スキャン制御過程は、前記スキャン処理中に、受信状態が受信監視不可状態であると前記受信状態監視過程が判断した場合には、前記スキャン処理を中止して、前記選択された番組を放送している中継局又は系列局の物理チャンネルだけを、予め定められた順番に従って順次特定し、前記第２放送受信過程に、当該特定された物理チャンネルの電波を受信させて、前記番組情報を分離できるときには、前記番組情報を分離させる個別スキャン処理を順次実行させるハンドオーバ処理を制御すること
を特徴とする請求項１５に記載のデジタル放送受信方法。
【請求項１７】
前記スキャン制御過程は、受信状態が受信監視不可状態であると前記受信状態監視過程が判断した場合には、前記スキャン処理を中止すること
を特徴とする請求項１４に記載のデジタル放送受信方法。
【請求項１８】
前記スキャン制御過程は、全ての物理チャンネルについて個別スキャン処理を行った後に、個別スキャン処理の前後の少なくとも何れか一方の受信状態が受信可能状態ではなく、かつ、前記第２放送受信過程で番組情報を分離することができなかった物理チャンネルについて、再度個別スキャン処理を行うこと
を特徴とする請求項１１から１７の何れか一項に記載のデジタル放送受信方法。
【請求項１９】
前記スキャン制御過程は、物理チャンネルの内最も受信強度の高い物理チャンネルの電波を前記第１放送受信過程に受信させること
を特徴とする請求項１１から１４の何れか一項に記載のデジタル放送受信方法。
【請求項２０】
前記第２放送受信過程は、前記電波の受信強度を順次計測し、
前記スキャン情報は、受信強度をさらに含み
前記スキャン情報更新過程は、前記個別スキャン処理が実行された際に、前記特定された物理チャンネルに対応付けられている受信強度が前記第２放送受信過程で計測された最新の受信強度を示すように、前記スキャン情報を更新し、
前記スキャン制御過程は、前記スキャン処理中に、受信状態が受信監視不可状態であると前記受信状態監視過程が判断した場合には、前記スキャン情報に含まれている受信強度が最も高い物理チャンネルの電波を、前記第１放送受信過程に受信させること
を特徴とする請求項１９に記載のデジタル放送受信方法。
【手続補正２】
【補正対象書類名】明細書
【補正対象項目名】００１０
【補正方法】変更
【補正の内容】
【００１０】
本発明の一態様に係るデジタル放送受信装置は、
アンテナを介して受信された電波の受信強度を順次計測する第１放送受信部と、
アンテナを介して受信された電波からデジタル信号を生成し、当該デジタル信号から、番組を選択するために必要な情報を含む番組情報を分離する第２放送受信部と、
物理チャンネル毎に、前記第２放送受信部で分離された番組情報から抽出された放送信号情報又は放送波が含まれていないことを示す情報を含むスキャン情報、及び、物理チャンネル毎に、前記スキャン情報から取得された、前記放送信号情報又は前記放送波が含まれていないことを示す情報を含むチャンネル情報、を記憶する記憶部と、
視聴する番組が選択された際に、前記第１放送受信部に、前記チャンネル情報に基づいて当該選択された番組に対応する物理チャンネルの電波を受信させ、当該電波からデジタル信号を生成させ、当該デジタル信号から映像デジタル信号及び音声デジタル信号の少なくとも何れか一方を分離させる制御部と、を備え、
前記制御部は、
前記第１放送受信部により計測された受信強度を取得して、受信状態が受信可能状態である場合において、前回取得された受信強度から今回取得された受信強度の低下分が、予め定められた第１閾値よりも大きいときには、受信状態が受信不可状態に遷移したと判断し、受信状態が受信不可状態である場合において、今回取得された受信強度が予め定められた第２閾値以上であるときには、受信状態が受信可能状態に遷移したと判断する受信状態監視部と、
予め定められた順番に従って物理チャンネルを特定し、前記第２放送受信部に、当該特定された物理チャンネルの電波を受信させて、番組情報を分離できるときには、番組情報を分離させる個別スキャン処理を順次実行させるスキャン処理を制御するスキャン制御部と、
前記個別スキャン処理が実行された際に、前記第２放送受信部で番組情報を分離することができた場合には、前記特定された物理チャンネルに対応付けられている情報が、前記第２放送受信部で分離された番組情報から抽出された放送信号情報を示すように、また、前記第２放送受信部で番組情報を分離することができない場合には、前記特定された物理チャンネルに対応付けられている情報が、前記特定された物理チャンネルに放送波が含まれていないことを示す情報を示すように、前記スキャン情報を更新するスキャン情報更新部と、
前記受信状態監視部で判断された最新の受信状態が受信可能状態である場合には、前記スキャン情報において更新された内容が前記チャンネル情報に反映されるように、前記チャンネル情報を更新し、
前記受信状態監視部で判断された最新の受信状態が受信不可状態であり、かつ、前記スキャン情報更新部が、前記放送信号情報を示すように前記スキャン情報を更新した場合には、前記スキャン情報において更新された内容が前記チャンネル情報に反映されるように、前記チャンネル情報を更新し、
前記受信状態監視部で判断された最新の受信状態が受信不可状態であり、かつ、前記スキャン情報更新部が、前記特定された物理チャンネルに放送波が含まれていないことを示す情報を示すように前記スキャン情報を更新した場合には、前記スキャン情報において更新された内容が前記チャンネル情報に反映されないように、前記チャンネル情報を更新しないチャンネル情報更新部と、を備えることを特徴とする。